(57)【要約】【課題】簡易な構成により、光学ファインダにおいて電子ズームに関するズーム範囲の情報を提供できる撮像装置の技術を提供する。【解決手段】撮像装置は、電子ズームが可能であり、撮影レンズを通った被写体光像を、線状のマークＭｂ１〜８等からなるターゲットマークＧｖが表された透光性のＳＩスクリーンを介してファインダ窓１０に導く光学ファインダを備えている。この撮像装置において、光学ファインダ使用時に電子ズームの設定が行われると、ターゲットマークＧｖから選択された６つのマークＭｂ１〜６に投光することで、ファインダ窓１０において６つのマークＭｂ１〜６に囲まれた領域を電子ズームのズーム領域として表現する。その結果、簡易な構成により、光学ファインダにおいて電子ズームに関するズーム範囲の情報を提供できる。【選択図】図８
2010021839.tif 000002
【特許請求の範囲】
【請求項１】
撮影レンズを通った被写体光像を、線要素の群からなる線画が表された透光性の部材を介してファインダ窓に導く光学ファインダ手段と、
前記撮影レンズを通った被写体光像を受光して被写体画像を生成する画像生成手段と、
前記被写体画像の一部をズーム領域として切り出して電子ズーム処理を行う電子ズーム手段と、
を備え、
前記光学ファインダ手段は、
前記透光性の部材における前記線要素の群に対して選択的な投光が可能な投光手段、
を有し、
前記電子ズーム手段は、
前記投光手段により前記線要素の群から選択された複数の線要素に投光することで、前記ファインダ窓において前記複数の線要素に囲まれた領域を前記ズーム領域として表現する制御手段、
を有する撮像装置。
【請求項２】
前記光学ファインダ手段は、
前記ファインダ窓での情報表示を行う情報表示手段、
を有し、
前記電子ズーム手段は、
前記電子ズーム処理についてのズーム倍率を設定する設定手段と、
前記設定手段で設定されたズーム倍率に関する情報表示を前記情報表示手段で行わせる表示制御手段と、
を有する請求項１記載の撮像装置。
【請求項３】
前記線画が異なる複数種類の透光性の部材のうち１種類の透光性の部材を着脱自在に保持する保持手段、
をさらに備え、
前記電子ズーム手段では、前記保持手段で保持される透光性の部材の種類に応じて、前記ファインダ窓において前記ズーム領域の表現が可能なズーム倍率についての選択肢が設定される請求項１記載の撮像装置。
【請求項４】
前記保持手段で保持される透光性の部材に表れた線画を撮像可能な撮像手段、
をさらに備え、
前記電子ズーム手段は、
前記撮像手段で撮像された線画に対する画像処理により、前記保持手段で保持される透光性の部材の種類を特定する特定手段、
を有する請求項３記載の撮像装置。
【請求項５】
本撮影の前に前記画像生成手段で順次に生成される画像に基づく画像表示を所定の表示手段で行わせる電子ファインダ手段、
をさらに備え、
前記電子ズーム手段は、
前記保持手段で保持される透光性の部材の種類に応じて設定された前記光学ファインダ手段に係るズーム倍率の選択肢を、前記電子ファインダ手段に係るズーム倍率の選択肢に反映させる手段、
を有する請求項３記載の撮像装置。
【請求項６】
撮像装置に係る撮影レンズを通った被写体光像を受光して被写体画像を生成する画像生成工程と、
前記被写体画像の一部をズーム領域として切り出して電子ズーム処理を行う電子ズーム工程と、
を備え、
前記撮像装置は、前記撮影レンズを通った被写体光像を、線要素の群からなる線画が表された透光性の部材を介してファインダ窓に導く光学ファインダ手段を有するとともに、当該光学ファインダ手段は、前記透光性の部材における前記線要素の群に対して選択的な投光が可能な投光手段を有し、
前記電子ズーム工程は、
前記投光手段により前記線要素の群から選択された複数の線要素に投光することで、前記ファインダ窓において前記複数の線要素に囲まれた領域を前記ズーム領域として表現する制御工程、
を有する電子ズーム制御方法。
【請求項７】
撮像装置に内蔵されたコンピュータに、
撮影レンズを通った被写体光像を受光して被写体画像を生成する画像生成工程と、
前記被写体画像の一部をズーム領域として切り出して電子ズーム処理を行う電子ズーム工程と、
を実行させ、
前記撮像装置は、前記撮影レンズを通った被写体光像を、線要素の群からなる線画が表された透光性の部材を介してファインダ窓に導く光学ファインダ手段を有するとともに、当該光学ファインダ手段は、前記透光性の部材における前記線要素の群に対して選択的な投光が可能な投光手段を有し、
前記電子ズーム工程は、
前記投光手段により前記線要素の群から選択された複数の線要素に投光することで、前記ファインダ窓において前記複数の線要素に囲まれた領域を前記ズーム領域として表現する制御工程、
を有する電子ズーム制御プログラム。
【発明の詳細な説明】
【技術分野】
【０００１】
本発明は、撮影レンズを通った被写体光像をファインダ窓に導く光学ファインダを備えた撮像装置の技術に関する。
【背景技術】
【０００２】
デジタルカメラ等の撮像装置においては、本撮影前に撮像素子で順次に取得される画像のライブビュー表示を背面モニタ等で行わせる電子ファインダを用いて被写体の構図決めを行えるものがある。さらには、ライブビュー表示において撮像素子で取得した被写体画像の一部を指定のズーム倍率に応じて切り出して拡大表示させ、そのズーム範囲に相当する被写体画像の部分を本撮影時に記録させることが可能な電子ズーム(デジタルズーム)機能を有するものもある。
【０００３】
一方、一眼レフタイプのデジタルカメラのような撮像装置においては、上述した電子ファインダの他に、光学ファインダを備えたものがある。このような撮像装置において光学ファインダ使用時に電子ズームの設定を行うと、光学ファインダにおいて電子ズームで切り出される画像を拡大表示できないため、電子ズームによるズーム範囲をユーザが認識できないという問題がある。
【０００４】
この問題を改善する技術として、例えば特許文献１に開示されるものが提案されている。この技術によれば、光学ファインダ内に設けられた透過型ＬＣＤ等の表示素子（表示手段）を用いて電子ズームで切り出されるズーム範囲の情報をユーザに提供できるようになっている。
【０００５】
【特許文献１】特開２００２−３１４８６８号公報
【発明の開示】
【発明が解決しようとする課題】
【０００６】
しかしながら、上記の特許文献１の技術では、光学ファインダ内に上述した表示素子を設ける必要があるため、光学ファインダの構成が複雑化してしまう。
【０００７】
本発明は、上記課題に鑑みてなされたものであり、簡易な構成により、光学ファインダにおいて電子ズームに関するズーム範囲の情報を提供できる撮像装置の技術を提供することを目的とする。
【課題を解決するための手段】
【０００８】
本発明の１つの側面は、撮像装置であって、撮影レンズを通った被写体光像を、線要素の群からなる線画が表された透光性の部材を介してファインダ窓に導く光学ファインダ手段と、前記撮影レンズを通った被写体光像を受光して被写体画像を生成する画像生成手段と、前記被写体画像の一部をズーム領域として切り出して電子ズーム処理を行う電子ズーム手段とを備え、前記光学ファインダ手段は、前記透光性の部材における前記線要素の群に対して選択的な投光が可能な投光手段を有し、前記電子ズーム手段は、前記投光手段により前記線要素の群から選択された複数の線要素に投光することで、当該複数の線要素に内接する領域を前記ズーム領域として前記ファインダ窓で示す制御手段を有する。
【発明の効果】
【０００９】
本発明によれば、線要素の群からなる線画が表された透光性の部材を介して撮影レンズを通った被写体光像が導かれるファインダ窓において、投光手段により透光性の部材における線要素の群から選択された複数の線要素に投光することで複数の線要素に囲まれた領域を電子ズーム処理に係るズーム領域として表現する。その結果、簡易な構成により、光学ファインダにおいて電子ズームに関するズーム範囲の情報を提供できる。
【発明を実施するための最良の形態】
【００１０】
＜第１実施形態＞
＜撮像装置の構成について＞
図１および図２は、本発明の第１実施形態に係る撮像装置１Ａの外観構成を示す図である。ここで、図１は、撮像装置１Ａの正面外観図であり、図２は、撮像装置１Ａの背面外観図である。この撮像装置１Ａは、レンズ交換式一眼レフレックスタイプのデジタルカメラとして構成されている。
【００１１】
図１に示すように、撮像装置１Ａは、カメラ本体部（カメラボディ）２を備えている。このカメラ本体部２に対して、交換式の撮影レンズである交換レンズ３の着脱が可能となっている。
【００１２】
交換レンズ３は、主として、鏡胴３６、ならびに鏡胴３６の内部に設けられるレンズ群３７(図３参照)及び絞り等によって構成される。レンズ群３７は、光学ズームに関するズーム倍率の変更が可能であり、光軸方向に移動することによって焦点位置を変更するフォーカスレンズを有している。
【００１３】
カメラ本体部２は、交換レンズ３が装着される円環状のマウント部Ｍｔを正面略中央に備え、交換レンズ３を着脱するための着脱ボタン８９を円環状のマウント部Ｍｔ付近に備えている。
【００１４】
また、カメラ本体部２は、その正面左上部にモード設定ダイヤル８２を備え、その正面右上部に制御値設定ダイヤル８６を備えている。モード設定ダイヤル８２を操作することによって、カメラの各種モード（各種撮影モード（人物撮影モード、風景撮影モード、およびフルオート撮影モード等）、撮影した画像を再生する再生モード、および外部機器との間でデータ交信を行う通信モード等を含む）の設定動作（切替動作）を行うことが可能である。また、制御値設定ダイヤル８６を操作することによれば、各種撮影モードにおける制御値を設定することが可能である。
【００１５】
また、カメラ本体部２は、正面左端部にユーザが把持するためのグリップ部１４を備えている。グリップ部１４の上面には露光開始を指示するためのレリーズボタン１１が設けられている。グリップ部１４の内部には電池収納室とカード収納室とが設けられている。電池収納室にはカメラの電源として、例えば電池が収納されており、カード収納室には撮影画像の画像データを記録するためのメモリカード９０(図４参照)が着脱可能に収納されるようになっている。
【００１６】
レリーズボタン１１は、半押し状態（Ｓ１状態）と全押し状態（Ｓ２状態）との２つの状態を検出可能な２段階検出ボタンである。レリーズボタン１１が半押しされＳ１状態になると、被写体に関する記録用静止画像（本撮影画像）を取得するための準備動作（例えば、ＡＦ制御動作およびＡＥ制御動作等）が行われる。また、レリーズボタン１１がさらに押し込まれてＳ２状態になると、当該本撮影画像の撮影動作（撮像素子５（後述）を用いて被写体像（被写体の光像）に関する露光動作を行い、その露光動作によって得られた画像信号に所定の画像処理を施す一連の動作）が行われる。
【００１７】
図２において、カメラ本体部２の背面略中央上部には、ファインダ窓（接眼窓）１０が設けられている。ユーザは、ファインダ窓１０を覗くことによって、交換レンズ３から導かれた被写体の光像を視認して構図決定を行うことができる。すなわち、交換レンズ３を通った被写体光像をファインダ窓１０に導く光学ファインダを用いて、ユーザの構図決め動作が可能となる(後で詳述)。
【００１８】
ファインダ窓１０の下には、赤外光を発する投光ＬＥＤ１５１と受光センサ１５２とを備えた接眼検知部１５が配設されている。この接眼検知部１５により、投光ＬＥＤ１５１から発せられた赤外光がユーザの眼で反射され、この反射光を受光センサ１５２で検出できれば、ユーザの眼がファインダ窓１０に接近していることの検知(接眼検知)が可能となる。
【００１９】
図２において、カメラ本体部２の背面の略中央には、液晶モニタ１２が設けられている。液晶モニタ１２は、例えばカラー液晶ディスプレイ（ＬＣＤ）として構成される表示手段として機能し、表示のオン状態(表示状態)と表示のオフ状態(非表示状態)との切換えが可能である。そして、液晶モニタ１２は、撮影条件等を設定するためのメニュー画面を表示したり、再生モードにおいてメモリカード９０に記録された撮影画像を再生表示したりすることができる。また、液晶モニタ１２では、撮像素子７（後述）によって取得された時系列の複数の画像（すなわち動画像）に基づくライブビュー表示が可能となっている。
【００２０】
液晶モニタ１２の左上部にはメインスイッチ８１が設けられている。メインスイッチ８１は２点スライドスイッチからなり、接点を左方の「ＯＦＦ」位置に設定すると、電源がオフになり、接点の右方の「ＯＮ」位置に設定すると、電源がオンになる。
【００２１】
液晶モニタ１２の左側には、メニュー画面の設定、画像の削除などを行うための複数のボタンからなる設定ボタン群８３が設けられている。この設定ボタン群８３のうち１つのボタン(ズームボタン)８３０を押下することにより、デジタルズーム処理（電子ズーム処理）についてのズーム倍率として１倍および２倍のズーム倍率がサイクリック(循環的)に設定できる。このデジタルズーム処理では、ユーザにより指定されたズーム倍率に応じた切出し範囲(部分領域)を撮影画像から切り出してメモリカード９０(図３参照)に記録させることが可能である。
【００２２】
液晶モニタ１２の右側には方向選択キー８４が設けられている。この方向選択キー８４は円形の操作ボタンを有し、この操作ボタンにおける上下左右の４方向の押圧操作と、右上、左上、右下及び左下の４方向の押圧操作とが、それぞれ検出されるようになっている。なお、方向選択キー８４は、上記８方向の押圧操作とは別に、中央部のプッシュボタンの押圧操作も検出されるようになっている。
【００２３】
本実施形態の撮像装置１Ａでは、液晶モニタ１２に表示される本撮影前のライブビュー画像(プレビュー画像)を用いて構図決めを行うことも可能である(後で詳述)。
【００２４】
そして、方向選択キー８４の右下方に設けられる切替スイッチ８５によって、このライブビュー表示(電子ファインダ)による構図決め動作と上記の光学ファインダによる構図決め動作との切替えが可能である。具体的には、３点スライドスイッチとして構成される切替スイッチ８５において、接点を上方の「光学」位置に設定すると光学ファインダによる構図決め動作が選択されるとともに、接点を下方の「液晶」位置に設定すると液晶モニタ１２を用いたライブビュー表示(電子ファインダ)による構図決め動作が選択される。また、切替スイッチ８５において、接点を中央の「自動」位置に設定すると、接眼検知部１５での接眼検知の有無に応じて光学ファインダによる構図決め動作と電子ファインダによる構図決め動作とが自動的に切替えられる。
【００２５】
次に、図３を参照しながら、撮像装置１Ａの機能の概要について説明する。図３は、撮像装置１Ａの機能構成を示すブロック図である。
【００２６】
図３に示すように、撮像装置１Ａは、操作部８０、全体制御部１０１Ａ、フォーカス制御部１２１、ミラー制御部１２２、シャッタ制御部１２３、絞り駆動制御部１２４、タイミング制御回路１２５、およびデジタル信号処理回路５０等を備える。
【００２７】
操作部８０は、レリーズボタン１１（図１参照）を含む各種ボタンおよびスイッチ等を備えて構成される。操作部８０に対するユーザの入力操作に応答して、全体制御部１０１Ａが各種動作を実現する。
【００２８】
全体制御部１０１Ａは、コンピュータとして働くＣＰＵ１０２と、制御プログラム等を記憶するフラッシュＲＯＭ１０３と、一時的にデータを記憶するＲＡＭ(不図示)とを備えて構成され、撮像装置１Ａ各部の動作を制御するものである。そして、フラッシュＲＯＭ１０３には、ＣＰＵ１０２で実行されることにより、後述するデジタルズーム制御を行うデジタルズーム制御プログラムＺａが格納されている。このデジタルズーム制御プログラムＺａが全体制御部１０１Ａで実行されることにより、撮像装置１Ａでは、ズームボタン８３０の押下に応答してズーム倍率２倍のデジタルズームを行えるようになっている。なお、メモリカード９０に記録されているデジタルズーム制御プログラムＺａなどのプログラムデータを、フラッシュＲＯＭ１０３にインストールすることで、そのプログラムを撮像装置１Ａの動作に反映できる。
【００２９】
フォーカス制御部１２１は、全体制御部１０１Ａから入力される信号に基づいて制御信号を生成しモータＭ１を駆動することによって、撮影レンズユニット３のレンズ群３７に含まれるフォーカスレンズを移動する。また、フォーカスレンズの位置は、撮影レンズユニット３のレンズ位置検出部３９によって検出され、フォーカスレンズの位置を示すデータが全体制御部１０１Ａに送られる。このように、フォーカス制御部１２１および全体制御部１０１Ａ等は、フォーカスレンズの光軸方向の動きを制御する。
【００３０】
ミラー制御部１２２は、ミラー機構６が光路から退避した状態（ミラーアップ状態）とミラー機構６が光路を遮断した状態（ミラーダウン状態）との状態切替を制御する。ミラー制御部１２２は、全体制御部１０１Ａから入力される信号に基づいて制御信号を生成しモータＭ２を駆動することによって、ミラーアップ状態とミラーダウン状態とを切り替える。
【００３１】
シャッタ制御部１２３は、全体制御部１０１Ａから入力される信号に基づいて制御信号を生成しモータＭ３を駆動することによって、シャッタ４の開閉を制御する。
【００３２】
絞り駆動制御部１２４は、全体制御部１０１Ａから入力される信号に基づいて制御信号を生成しモータＭ４を駆動することによって、撮影レンズユニット３に設けられた絞り１６の絞り径を制御する。
【００３３】
この絞り駆動制御部１２４(および全体制御部１０１Ａ)により、本撮影時にはＡＥ制御動作によって決定された絞り値に絞り１６が絞込まれることで、適切な露出状態(および合焦状態)の撮影画像が得られることとなる。
【００３４】
タイミング制御回路１２５は、撮像素子５等に対するタイミング制御を行う。
【００３５】
撮像素子（例えばＣＭＯＳセンサ）５は、レンズ群３７を介して受光した被写体光像を光電変換作用によって電気的信号に変換して、本撮影画像に係る画像信号（記録用の画像信号）を生成する。この撮像素子５は、記録画像取得用の撮像素子であるとも表現され、交換レンズ３を通った被写体光像を受光して被写体画像を生成する画像生成手段として機能する。
【００３６】
撮像素子５は、タイミング制御回路１２５から入力される駆動制御信号（蓄積開始信号および蓄積終了信号）に応答して、受光面に結像された被写体像の露光（光電変換による電荷蓄積）を行い、当該被写体像に係る画像信号を生成する。また、撮像素子５は、タイミング制御回路１２５から入力される読出制御信号に応答して、当該画像信号を信号処理部５１へ出力する。また、タイミング制御回路１２５からのタイミング信号（同期信号）は、信号処理部５１及びＡ／Ｄ（アナログ／デジタル）変換回路５２にも入力される。
【００３７】
撮像素子５で取得された画像信号は、信号処理部５１においてオートゲインコントロール(ＡＧＣ)などのアナログ信号処理が施され、当該アナログ信号処理後の画像信号はＡ／Ｄ変換回路５２によってデジタル画像データ（画像データ）に変換される。この画像データは、デジタル信号処理回路５０に入力される。
【００３８】
デジタル信号処理回路５０は、Ａ／Ｄ変換回路５２から入力される画像データに対してデジタル信号処理を行い、撮像画像に係る画像データを生成する。デジタル信号処理回路５０は、黒レベル補正回路５３、ホワイトバランス（ＷＢ）回路５４、γ補正回路５５及び画像メモリ５６を備える。
【００３９】
黒レベル補正回路５３は、Ａ／Ｄ変換回路５２が出力した画像データを構成する各画素データの黒レベルを基準の黒レベルに補正する。ＷＢ回路５４は、画像のホワイトバランス調整を行う。γ補正回路５５は、撮像画像の階調変換を行う。画像メモリ５６は、生成された画像データを一時的に記憶するための、高速アクセス可能な画像メモリであり、複数フレーム分の画像データを記憶可能な容量を有する。
【００４０】
本撮影時には、画像メモリ５６に一時記憶される画像データは、全体制御部１０１Ａにおいて適宜画像処理（圧縮処理等）が施された後、カードＩ／Ｆ１３２を介してメモリカード９０に記憶される。
【００４１】
また、画像メモリ５６に一時記憶される画像データは、全体制御部１０１Ａによって適宜ＶＲＡＭ１３１に転送され、背面モニタ１２に画像データに基づく画像が表示される。これによって、撮影画像を確認するための確認表示（アフタービュー）、および撮影済みの画像を再生する再生表示等が実現される。
【００４２】
また、撮像装置１Ａは、撮像素子５とは別の撮像素子７（図４も参照）をさらに備えている。撮像素子７は、いわゆるライブビュー画像取得用（電子ファインダ用）の撮像素子としての役割を果たす。
【００４３】
この撮像素子７についても、撮像素子５と同様の構成を有している。ただし、撮像素子７は、ライブビュー用の画像信号（動画像）を生成するための解像度を有していればよく、通常、撮像素子５よりも少ない数の画素で構成される。
【００４４】
撮像素子７で取得された画像信号に対しても、撮像素子５で取得された画像信号と同様の信号処理が施される。すなわち、撮像素子７で取得された画像信号は、信号処理部５１で所定の処理が施され、Ａ／Ｄ変換回路５２でデジタルデータに変換された後、デジタル信号処理回路５０で所定の画像処理が施され、画像メモリ５６に格納される。
【００４５】
また、撮像素子７で取得され画像メモリ５６に格納される時系列の画像データは、全体制御部１０１ＡによってＶＲＡＭ１３１に順次に転送され、当該時系列の画像データに基づく画像が背面モニタ１２に表示される。すなわち、本撮影の前に撮像素子７で順次に生成される画像に基づく画像表示を背面モニタ１２で行わせる電子ファインダが実現される。これによって、構図決めを行うための動画的態様の表示（ライブビュー表示）が実現される。
【００４６】
さらに、撮像装置１Ａは、通信用Ｉ／Ｆ１３３を有しており、当該インターフェイス１３３の接続先の機器（例えば、パーソナルコンピュータ等）とデータ通信をすることが可能である。
【００４７】
また、撮像装置１Ａは、フラッシュ４１、フラッシュ制御回路４２、およびＡＦ補助光発光部４３を備えている。フラッシュ４１は、被写体の輝度不足時等に利用される光源である。フラッシュの点灯の有無および点灯時間等は、フラッシュ制御回路４２および全体制御部１０１Ａ等によって制御される。ＡＦ補助光発光部４３は、ＡＦ用の補助光源である。ＡＦ補助光発光部４３の点灯の有無および点灯時間等は、全体制御部１０１Ａ等によって制御される。
【００４８】
＜撮像装置１Ａでの構図決め動作（フレーミング動作）について＞
つぎに、撮像装置１Ａにおける構図決め動作（フレーミング動作）について説明する。上述したように、撮像装置１Ａにおいては、光学ファインダを用いた構図決め（フレーミング）を行うことが可能であるとともに、液晶モニタ１２に表示されるライブビュー画像を用いた構図決め（電子ファインダによる構図決め）を行うことも可能である。
【００４９】
図４および図５は、撮像装置１Ａの断面図である。図４は、光学ファインダを用いた構図決め動作を示しており、図５は、電子ファインダを用いた構図決め動作を示している。
【００５０】
図４等に示すように、交換レンズ３から撮像素子５に至る光路（撮影光路）上にはミラー機構６が設けられている。ミラー機構６は、撮影光学系からの光を上方に向けて反射する主ミラー６１（主反射面）を有している。この主ミラー６１は、例えばその一部または全部がハーフミラーとして構成され、撮影光学系からの光の一部を透過する。また、ミラー機構６は、主ミラー６１を透過した光を下方に反射させるサブミラー６２（副反射面）をも有している。サブミラー６２により下方に反射された光は、ＡＦモジュール２０へと導かれて入射し、位相差方式のＡＦ動作に利用される。
【００５１】
撮影モードにおいてレリーズボタン１１が全押し状態Ｓ２にされるまで、換言すれば構図決めの際には、ミラー機構６はミラーダウン状態となるように配置される（図４および図５参照）。そして、この際には、交換レンズ３からの被写体像は、主ミラー６１で上方に反射され観察用光束としてペンタミラー６５に入射する。ペンタミラー６５は、複数のミラー（反射面）を有しており、被写体像の向きを調整する機能を有している。また、ペンタミラー６５に入射した後の、観察用光束の進路は、上記の両方式（すなわち光学ファインダ方式および電子ファインダ方式）のいずれが選択されて構図決めを行うかに応じて異なっている。これについては後述する。
【００５２】
一方、レリーズボタン１１が全押し状態Ｓ２にされると、ミラー機構６がミラーアップ状態となるように駆動されるとともにシャッターユニット４が開放され、露光動作が開始される。被写体に係る記録用静止画像を取得する際の動作（すなわち露光の際の動作）は、上記の両方式（すなわち光学ファインダ方式および電子ファインダ方式）による構図決めに共通である。
【００５３】
＜光学ファインダによる構図決め動作＞
次に、構図決めの際の上記両方式の各動作についてそれぞれ説明する。
【００５４】
まず、光学ファインダを用いた構図決め動作について説明する。
【００５５】
図４に示すように、ミラー機構６の主ミラー６１およびサブミラー６２が、交換レンズ３からの被写体像の光路上に配置されると、被写体像が主ミラー６１とペンタミラー６５と接眼レンズ６７とを介してファインダ窓１０へと導かれる。このような光学ファインダでは、主ミラー６１とペンタミラー６５と接眼レンズ６７とを含むファインダ光学系６０により、レンズ群（撮影光学系）３７からの光束であって主ミラー(主反射面)６１で反射された光束である観察用光束をファインダ窓１０へと導くことが可能である。
【００５６】
詳細には、交換レンズ３からの光は、主ミラー６１で反射されて上方に進路を変更し、焦点板６３において結像し、焦点板６３と、この直上に配設されたＳＩ（スーパーインポーズ）スクリーンＳｒとを通過する。その後、焦点板６３およびＳＩスクリーンＳｒを通過した光は、ペンタミラー６５でその進路をさらに変更した後に接眼レンズ６７を通ってファインダ窓１０へ向かう（図４の光路ＰＡ参照）。このようにして、ファインダ窓１０を通過した被写体像はユーザ（観察者）の眼に到達して視認される。すなわち、ユーザはファインダ窓１０を覗くことによって、被写体像を確認することができる。
【００５７】
ここにおいて、ペンタミラー６５は、三角屋根状に形成された２面のミラー（ダハミラー）６５ａ，６５ｂと、当該ダハミラー（ダハ面）６５ａ，６５ｂに対して固定された面６５ｃと、不図示のアクチュエータ(例えばモータ)によって軸ＡＸ１を中心とした回転駆動が可能なミラー（以下では「可動ミラー」ともいう）６５ｅとを有している。また、三角屋根状の２面のミラー６５ａ，６５ｂは、プラスチック成型により一体部品６５ｄとして形成されている。主ミラー６１で反射されて上方に進路を変更した光は、ダハミラー６５ａ，６５ｂで反射されて左右反転されて進行し、さらに可動ミラー６５ｅでも反射されることによって上下も反転されてユーザの眼に到達する。このように、交換レンズ３において左右上下が反転されていた光像は、ペンタミラー６５でさらに左右上下が反転される。これにより、ユーザは、光学ファインダにおいて、その上下左右が実際の被写体と同じ状態で被写体像を観察することができる。
【００５８】
また、主ミラー６１を透過した光はサブミラー６２で反射されて下方に進路を変更しＡＦモジュール２０へと進入する。ＡＦモジュール２０では、主ミラー６１およびサブミラー６２を介して進入してきた光を用いて、測距動作が行われる。
【００５９】
＜電子ファインダによる構図決め動作＞
次に、電子ファインダを用いた構図決め動作について説明する。
【００６０】
この場合にも、図５に示すように、ミラー機構６の主ミラー６１およびサブミラー６２が、交換レンズ３からの被写体像の光路上に配置される。そして、交換レンズ３からの光は、主ミラー６１で反射されて上方に進路を変更し、焦点板６３において結像し、焦点板６３を通過する。
【００６１】
ただし、この電子ファインダによる構図決め動作においては、焦点板６３（およびＳＩスクリーンＳｒ）を通過した光は、ペンタミラー６５でその進路をさらに変更した後に、結像レンズ６９（結像光学系）を通過して撮像素子７の撮像面上で再結像する（図５の光路ＰＢ参照）。なお、主ミラー６１で反射されて上方に進路を変更した光は、ダハミラー６５ａ，６５ｂで反射されて左右反転されて進行し、さらに可動ミラー６５ｅでも反射されることによって上下も反転され、さらに結像レンズ６９で上下左右反転されて撮像素子７に到達する。
【００６２】
より詳細には、図４と比較すると判るように、図５においては可動ミラー６５ｅの角度（カメラ本体部２に対する角度）が変更されている。具体的には、可動ミラー６５ｅは、図４の状態から、その下端側の軸ＡＸ１を中心に矢印ＡＲ１の向きに所定角度α回動している。すなわち、可動ミラー６５ｅの姿勢に関しては、主ミラー６１で反射された光束(観察用光束)をファインダ窓１０に向かって反射させる図４の姿勢Ｔａから、観察用光束を撮像素子７に向かって反射させる図５の姿勢Ｔｂへと切換えられる。
【００６３】
このように可動ミラー６５ｅの姿勢を変更することによって、可動ミラー６５ｅで反射される光（観察用光束）の反射角度が変更され、当該可動ミラー６５ｅによる反射光の進行経路が変更される。具体的には、図４の状態に比べて、可動ミラー６５ｅへの入射角度θ１が比較的小さくなり、反射角度θ２も比較的小さくなる。その結果、可動ミラー６５ｅの反射光は、接眼レンズ６７に向かう光路からダハミラー６５ａ，６５ｂ寄りの光路へとその進路を上方に変更し、結像レンズ６９を通過して撮像素子７に到達する。なお、結像レンズ６９および撮像素子７は、接眼レンズ６７よりも上方に配置されており、且つ、光学ファインダ使用時に可動ミラー６５ｅから接眼レンズ６７へと進行する光束を遮らない位置に配置されている。
【００６４】
また、可動ミラー６５ｅで反射された光束の進路は、可動ミラー６５ｅの変更角度αに応じて、その２倍の大きさの角度β（＝２×α）変更される。逆に言えば、反射光路の進行角度を角度β変更するために、可動ミラー６５ｅの回転角度は、当該角度βの半分の角度αで済む。すなわち、可動ミラー６５ｅの比較的小さな回転角度で可動ミラー６５ｅの反射光の進路を比較的大きく変更することが可能である。また、可動ミラー６５ｅと撮像素子７とは比較的離れて配置されているため、可動ミラー６５ｅの回転角度を小さく変更するだけで、可動ミラー６５ｅによる２つの反射光を、互いに離れて配置された接眼レンズ６７および撮像素子７へと確実に導くことが可能である。すなわち、可動ミラー６５ｅの回転角度を小さく変更することによって可動ミラー６５ｅによる反射光の光束を良好に２つの光路に選択的に進行させることが可能である。したがって、可動ミラー６５ｅの回転によるスペースの増大は最小限に止められる。
【００６５】
撮像素子７は、可動ミラー６５ｅで反射され結像レンズ６９を通過して撮像素子７に到達した被写体像に基づいて、ライブビュー画像を生成する。具体的には、主ミラー６１で反射された光束（観察用光束）を受光する撮像素子７において微小時間間隔（例えば、１／６０秒）で複数の画像信号を順次に生成する。そして、取得された時系列の画像信号は液晶モニタ１２において順次に表示(ライブビュー表示)される。これによって、ユーザは、液晶モニタ１２に表示される動画像（ライブビュー画像）を視認し、当該動画像を用いて構図決めを行うことが可能になる。
【００６６】
また、この場合も、光学ファインダによる構図決めの際（図４参照）と同様に、主ミラー６１とサブミラー６２とを介してＡＦモジュール２０に入射した光を用いてＡＦ動作が実現される。
【００６７】
以上のように、可動ミラー６５ｅで反射した後の観察用光束の進路は、可動ミラー６５ｅの反射角度の変更によって、可動ミラー６５ｅから接眼レンズ６７およびファインダ窓１０に向かう光路ＰＡ（図４）と、可動ミラー６５ｅから結像レンズ６９および撮像素子７に向かう光路ＰＢ（図５）との間で切り換えられる。換言すれば、当該観察用光束の進路は、可動ミラー６５ｅの反射角度の変更によって、可動ミラー６５ｅで反射されてファインダ窓１０に向かう第１の光路ＰＡと、可動ミラー６５ｅで反射されて撮像素子７に向かう第２の光路ＰＢとの間で切り換えられる。
【００６８】
そして、撮像装置１Ａにおいては、ペンタミラー６５を構成する複数のミラー６５ａ，６５ｂ，６５ｅのうち、或る反射面（可動ミラー６５ｅ）の反射角度が変更される一方で、他の反射面（ダハミラー６５ａ，６５ｂ）は固定されている。すなわち、複数の反射面のうち、一の反射面６５ｅのみを駆動することによって観察用光束の進路が変更されるので、駆動部分を少なくしコンパクトな構成にすることができる。また、撮像装置１Ａにおいては、ファインダ光学系６０のペンタミラー６５に含まれる複数の反射面のうち、ダハミラー６５ａ，６５ｂ以外の反射面である可動ミラー６５ｅの反射角度を変更して、観察用光束の進路を変更している。これにより、ダハミラー６５ａ，６５ｂを駆動する場合に比べて容易に観察用光束の進路を変更することができる。
【００６９】
以上のような構成の撮像装置１Ａにおいて、電子ファインダによる構図決めをユーザが所望している場合には、可動ミラー６５ｅを図５に示す姿勢Ｔｂにセットして撮像素子７に向かう光路ＰＢを選択するとともに、液晶モニタ１２をオン状態（表示状態）にして撮像素子７から得られる画像信号に基づくライブビュー表示を行うようにする。
【００７０】
一方、光学ファインダによる構図決めをユーザが所望している場合には、可動ミラー６５ｅを図４に示す姿勢Ｔａにセットしてファインダ窓１０に向かう光路ＰＡを選択するようにする。
【００７１】
＜ファインダ光学系６０の構成＞
図６は、ファインダ光学系６０の要部構成を示す縦断面図である。また、図７は、ペンタミラー６５の正面図である。なお、図７においては、可動ミラー６５ｅが取り外されたペンタミラー６５の構成を示している。
【００７２】
上述したように、交換レンズ３を通った被写体からの光(被写体光)Ｌｓは、ミラーダウン状態の主ミラー６１で上方に反射され平板状の焦点板６３にて結像する。この焦点板６３については、その上面６３ｕが被写体光Ｌｓを結像する焦点面６３ｕとして構成されており、その下面６３ｄがフレネル面として構成されている。そして、焦点板６３の直上には、後で詳述するターゲットマークＧｖが表されたＳＩスクリーンＳｒが、微小な間隙を挟んで保持されている。
【００７３】
ペンタミラー６５の背面側においては、水平方向(Ｘ軸方向)に沿って伸びた横枠６５１により２つの開口Ｑａ、Ｑｂに分けられるとともに、開口Ｑｂの下部にはＸ軸方向に沿って伸びた横枠６５２が設けられている。この横枠６５２の斜め後方には、インファインダ１３が配設されている。インファインダ１３は、例えば液晶表示板を備えており、ファインダ窓１０での情報表示、具体的にはファインダ画面の下部においてシャッタースピードや絞り値等の撮影情報に関する表示を行う(後で詳述)。
【００７４】
一方、主ミラー６１の後方には、撮像素子５の撮像面５ｆが配置されている。ここで、撮像面５ｆと焦点板６３の焦点面６３ｕとは、共役となっている。
【００７５】
また、ペンタミラー６５のダハミラー６５ａ、６５ｂの後方には、ＳＩスクリーンＳｒに描かれたターゲットマークＧｖ(図８参照)の各部位を照明するための投光プリズム６８が配設されている。そして、投光プリズム６８に照明光Ｌａを供給する発光部７１が、図７に示すようにペンタミラー６５の上部右側後方に設けられている。この発光部７１においては、例えば９個のＬＥＤが基板上に搭載されており、焦点板６３の焦点面６３ｕと共役な関係となっている。
【００７６】
このような構成により、発光部７１から射出された照明光Ｌａは、投光プリズム６８で光路が折り曲げられ、ペンタミラー６５の開口部Ｑａを経てペンタミラー６５内を通過した後に、ＳＩスクリーンＳｒに投光される。そして、照明光Ｌａは、図６のようにＳＩスクリーンＳｒの下面で反射され、交換レンズ３から入射した被写体光Ｌｓと同様に、ペンタミラー６５および接眼レンズ６７を経てファインダ窓１０に導かれる。なお、インファインダ１３からの表示光Ｌｂは、ペンタミラー６５の後部に入射し、ペンタミラー６５および接眼レンズ６７を経てファインダ窓１０に導かれる。
【００７７】
次に光学ファインダの使用時にファインダ窓１０に映り込むターゲットマークについて説明する。
【００７８】
＜ターゲットマークについて＞
図８は、ファインダ窓１０に映り込むターゲットマークＧｖを説明するための図である。
【００７９】
光学ファインダにおいては、被写体に対してのフォーカス位置(エリア)や測光位置などを示す線画(線描画)として構成されたターゲットマークＧｖ(太線部)が被写体光像に重畳されてファインダ窓１０に映り込むようになっている。このターゲットマークＧｖは、透光性の部材として形成されるＳＩスクリーンＳｒの下面を罫書くことによって描かれている。よって、光学ファインダでは、交換レンズ３を通った被写体光像が、ターゲットマークＧｖが表されたＳＩスクリーンＳｒを介してファインダ窓１０に導かれる。
【００８０】
ターゲットマークＧｖは、ワイドフォーカスフレームを表す４つのＬ字状のマークＭａ１〜Ｍａ４と、ローカルフォーカスフレームを表す８つの線状のマークＭｂ１〜Ｍｂ８と、スポットフォーカスフレームを表す方形線状のマークＭｃと、スポット測光サークルを表す２本の円弧状のマークＭｄ１〜Ｍｄ２とで構成されている。すなわち、ターゲットマークＧｖは、線要素としての各マークＭａ１〜Ｍａ４、Ｍｂ１〜Ｍｂ８、Ｍｃ、Ｍｄ１〜Ｍｄ２の群からなっている。
【００８１】
なお、撮像装置１Ａでは、上記ローカルフォーカスフレームを示すマークＭｂ１〜Ｍｂ８と上記スポットフォーカスフレームを示すマークＭｃとに対応する合計９箇所にＡＦモジュール２０の焦点検出センサが設けられており、これら９つの焦点検出センサを用いた被写体のピント合わせが可能となっている。そして、上記ワイドフォーカスフレームのフォーカスモードが選択される場合には、上記９つの焦点検出センサから自動的に選択されたセンサによるピント合わせが行われることとなる。なお、撮像装置１Ａにおいてデジタルズームが設定された場合には、撮像素子５で取得される撮影画像(全体画像)のうち中央部分の画像のみが画像処理によって切り出されるため、被写体のピント合わせは画面中央位置のマークＭｃに固定され、この位置でのみ行われることとなる。なお、上記スポット測光サークルの測光モードが選択される場合には、円弧状のマークＭｄ１、Ｍｄ２に囲まれた画面中央のスポット測光サークル内のみでの測光が行われる。
【００８２】
以上のようなターゲットマークＧｖが表されたＳＩスクリーンＳｒに対しては、上述した発光部７１から投光プリズム６８を介して照明光Ｌａを投光することが可能であるが、この場合には、発光部７１の各ＬＥＤごとにＳＩスクリーンＳｒを局所的に照明できるようになっている。具体的には、発光部７１に設けられた９つのＬＥＤそれぞれの点灯・消灯を制御することにより、マークＭｂ１〜Ｍｂ８およびマークＭｃを囲む９つの投光エリアＥ１〜Ｅ９(破線で図示)において独立した投光を行える。すなわち、発光部７１および投光プリズム６８により、ＳＩスクリーンＳｒにおけるターゲットマークＧｖの各マーク部位に対して選択的な投光が可能である。なお、本実施形態では、１つの投光プリズム６８によって各ＬＥＤからの照明光Ｌａを各投光エリアＥ１〜Ｅ９に投光できるが、これは投光プリズム６８が光路を折り曲げる反射部材と照明用の集光レンズとの両機能を一体として備えているためである。また、ターゲットマークＧｖについては、図６中のエリアＥｐを拡大した図９に示すようにＳＩスクリーンＳｒの下面(表示面)Ｓｒｄにおいて断面が連続した山型となるマイクロプリズムＭＰとして形成されるため、投光プリズム６８を介して発光部７１から投光された照明光ＬａはマイクロプリズムＭＰの内壁で全反射されてファインダ窓１０に導かれる。
【００８３】
このように各投光エリアＥ１〜Ｅ９への独立した投光を行える撮像装置１Ａでは、上述のようにＡＦモジュール２０に設けられた９つの焦点検出センサのうち被写体のピント合わせに使用している１つの焦点検出センサに対応した投光エリアに対してのみの投光が可能である。これにより、ファインダ窓１０において発光部７１からの照明光Ｌａ(図６、７)で例えば赤色に発光(点灯)するターゲットマークＧｖの部位(マーク)を視認したユーザは、被写体における合焦箇所を把握できることとなる。
【００８４】
さらに、本実施形態の撮像装置１Ａでは、発光部７１から６つの投光エリアＥ１〜Ｅ６に投光し、ターゲットマークＧｖにおける６つのマークＭｂ１〜Ｍｂ６(図８)を同時に点灯させることにより、デジタルズームで切り出されるエリア(以下では「ズームエリア」ともいう)をユーザに伝えることが可能である（後で詳述）。このようにズームエリアを示す点灯を行う場合には、例えば上述した被写体の合焦位置を示す点灯よりも発光輝度を高くすることにより、相互の区別を図るのが好ましい。
【００８５】
なお、撮像装置１Ａが、ペンタミラー６５の近傍に配設された測光素子により被写体に係る測光を行う場合には、ズームエリアを点灯させるためのＳＩスクリーンＳｒへの投光によって測光精度が低下する恐れがあるため、この投光動作を禁止するのが好ましい。具体的には、レリーズボタン１１が半押しされ測光が開始された場合には、発光部７１の全ＬＥＤを消灯してＳＩスクリーンＳｒへの投光を行わないようにする。
【００８６】
＜インファインダ１３による表示＞
図１０は、インファインダ１３による情報表示の一例を示す図である。
【００８７】
ファインダ窓１０においては、光学ファインダ使用時に上述したターゲットマークＧｖが被写体に重畳して表示されるとともに、その下方でインファインダ１３による情報表示Ｇｆが行われる。
【００８８】
インファインダ１３は、例えば図１１(ａ)に示すような複数の表示要素を備えている。そして、インファインダ１３の表示領域Ｈａにおいては、図１２に示す７セグメントＳｇが６つ設けられており、これらの７セグメントＳｇにより小数点も含めた４桁および２桁の数字を表示させることが可能である。この７セグメントＳｇは、７つの構成要素からなっており、各構成要素の点灯・消灯を制御することでアラビア数字を表すことができるとともに、例えば図１１(ｂ)のようにアルファベットを表現することも可能である。
【００８９】
＜デジタルズーム時の動作＞
撮像装置１Ａでは、デジタルズーム制御プログラムＺａが全体制御部１０１ＡのＣＰＵ１０２で実行されることにより、ズームボタン８３０の押下によってズーム倍率２倍のデジタルズームを設定することが可能である。以下では、デジタルズーム時での撮像装置１Ａの動作を説明する。
【００９０】
図１３は、デジタルズーム時での撮像装置１Ａの動作を説明するためのフローチャートである。この動作は、全体制御部１０１Ａにより制御される。
【００９１】
ステップＳＴ１では、レリーズボタン１１が全押し(Ｓ２)されたかを判定する。ここで、レリーズボタン１１が全押しされた場合には、撮影動作を開始してステップＳＴ２に進み、全押しされていない場合には、ステップＳＴ１を繰り返す。
【００９２】
ステップＳＴ２では、ＲＡＷ画像データを生成する。具体的には、撮像素子５で得られた被写体の画像信号に対して信号処理部５１でノイズ除去等の処理を施した後に、Ａ／Ｄ変換回路５２でデジタル信号に変換することにより、ＲＡＷ画像データを生成する。
【００９３】
ステップＳＴ３では、デジタルズームが設定されているかを判定する。具体的には、ズームボタン８３０が押下され、デジタルズームの状態となっているか否かを判断する。ここで、デジタルズームが設定されている場合には、ステップＳＴ４に進み、設定されていない場合には、ステップＳＴ５に進む。
【００９４】
ステップＳＴ４では、デジタルズームの倍率に応じたＲＡＷ画像の切り出しを行う。例えば、ズーム倍率がα倍(本実施形態では２倍)に設定されている場合には、ステップＳＴ２で得られたＲＡＷ画像に対して縦横方向にそれぞれ(１/α)倍の大きさとなる中央の画像領域を切り出す処理を全体制御部１０１Ａで実行する。
【００９５】
ステップＳＴ５では、ステップＳＴ２またはステップＳＴ４で得られたＲＡＷ画像データに対してデジタル信号処理回路５０で各種の画像処理を施し、画像処理が施された画像データを画像メモリ５６に一旦保存する。
【００９６】
ステップＳＴ６では、ステップＳＴ５で画像メモリ５６に一時保存された画像データを、カードＩ／Ｆ１３２を介してメモリカード９０に記録する。
【００９７】
ステップＳＴ７では、画像メモリ５６内に一時保存されている画像データを消去する。
【００９８】
以上のように撮像素子５で得られた被写体画像の一部をズーム領域として切り出して電子ズーム処理を行う電子ズーム(デジタルズーム)においては、電子ファインダ使用時には液晶モニタ１２に切出し範囲を拡大表示できるため、撮影される被写体の部分（ズームエリア）をユーザが把握できる。一方、光学ファインダ使用時にはファインダ窓１０に切出し範囲を拡大表示できないため、本実施形態では、上述した発光部７１によるターゲットマークＧｖへの投光制御を行うことでズームエリアをユーザに伝えるようにしている。この撮像装置１Ａの具体的な動作を、以下で説明する。
【００９９】
＜撮像装置１Ａの動作＞
図１４は、撮像装置１Ａの基本的な動作を示すフローチャートである。この動作については、特に光学ファインダ使用時にデジタルズームを設定する際の動作を示しており、デジタルズーム制御プログラムＺａが全体制御部１０１Ａで実行されることで実施される。また、図１５は、光学ファインダ使用時にデジタルズームを設定する際の動作を説明するための図である。
【０１００】
ステップＳＴ１１では、デジタルズームに関するズームボタン８３０がユーザにより押下されたかを判定する。ここで、ズームボタン８３０が押下された場合には、ステップＳＴ１２に進み、押下されていない場合には、ステップＳＴ１１を繰り返す。
【０１０１】
ステップＳＴ１２では、デジタルズームにおいて最高のズーム倍率が現時点で設定されているかを判定する。すなわち、ズームボタン８３０が押下された際に、撮像装置１Ａにおいて２倍のズーム倍率が設定されているか否かを判断する。ここで、最高のズーム倍率が設定されている場合、つまり本撮影時に２倍のデジタルズームが実行される場合には、ステップＳＴ１３に進む。一方、最高のズーム倍率でなく１倍(等倍)のズーム倍率が設定されている場合、つまり本撮影時にデジタルズームが実行されない場合には、ステップＳＴ１６に進む。
【０１０２】
ステップＳＴ１３では、投光プリズム６８を介して発光部７１からの照明光ＬａをＳＩスクリーンＳｒに投光することで、ファインダ窓１０において２倍のズーム倍率に対応したズームエリアを点灯させる。具体的には、ＳＩスクリーンＳｒにおける６つの投光エリアＥ１〜Ｅ６に投光することにより、図１５(ｂ)に示すターゲットマーク表示Ｔ２のようにターゲットマークＧｖにおける６つのマークＭｂ１〜Ｍｂ６(図８)を同時に発光させる。このように発光部７１および投光プリズム６８によって、ターゲットマークＧｖから選択された６つのマーク(線要素)Ｍｂ１〜Ｍｂ６に投光することで、ファインダ窓１０において輝度が増加した６つのマークＭｂ１〜Ｍｂ６に囲まれた領域がズーム領域として表現される。なお、図１５(ｂ)では、ターゲットマークＧｖのうち発光部７１からの照明光Ｌａで点灯しているマークを太実線で表記するとともに、消灯しているマークを破線で表記している。この表記方法については、以降で説明する他の図面でも同様である。
【０１０３】
また、ステップＳＴ１３においては、インファインダ１３でデジタルズームの倍率を表示することにより、そのズーム倍率がファインダ窓１０で視認できるようにする。すなわち、ズームボタン８３０に対するユーザ操作によって設定されたズーム倍率に関する情報表示をインファインダ１３で行わせる。例えば、図１５(ｂ)に示すインファインダ表示Ｆ２のように、「ｄｚ  ２.０」の表示でズーム倍率が２倍に設定されている旨を表現する。これにより、デジタルズームで設定されるズーム倍率をユーザが把握できる。
【０１０４】
以上のようなステップＳＴ１３の動作により、ファインダ窓１０では図１５(ａ)の表示状態から図１５(ｂ)の表示状態に遷移することとなる。
【０１０５】
ステップＳＴ１４では、ズームボタン８３０が押下されてから一定の時間(例えば５秒)が経過したかを判定する。ここで、一定の時間が経過した場合には、ステップＳＴ１５に進み、経過していない場合には、ステップＳＴ１４を繰り返す。
【０１０６】
ステップＳＴ１５では、図１５(ｂ)に示すインファインダ表示Ｆ２がファインダ窓１０に表示されてから一定時間が経過したためユーザの十分な認識がなされたとして、インファインダ１３で通常の表示を行う。例えば、シャッタースピード「６０」と絞り値「５.６」とをインファインダ１３で表示することにより、図１５(ｃ)に示すインファインダ表示Ｆ３のようにファインダ窓１０で撮影条件の情報表示を行う。
【０１０７】
このステップＳＴ１５の動作により、ファインダ窓１０では図１５(ｂ)の表示状態から図１５(ｃ)の表示状態に移行する。
【０１０８】
ステップＳＴ１６では、インファインダ１３においてデジタルズームの倍率が表示されているかを判定する。すなわち、図１５(ｂ)のインファインダ表示Ｆ２のようにズーム倍率がファインダ窓１０に表示されているか否かを判断する。ここで、インファインダ１３でズーム倍率が表示されている場合には、ステップＳＴ１７に進み、ズーム倍率ではなく図１５(ｃ)のインファインダ表示Ｆ３のように撮影条件の情報表示など通常の表示が行われている場合には、ステップＳＴ１８に進む。
【０１０９】
ステップＳＴ１７では、ＳＩスクリーンＳｒへの投光を止めてファインダ窓１０に表示されるズームエリアを消灯するとともに、ステップＳＴ１５と同様に、インファインダ１３で通常の表示、具体的には撮影条件の情報表示を行う。
【０１１０】
このようなステップＳＴ１７の動作により、ファインダ窓１０では図１５(ｂ)の表示状態から図１５(ａ)の表示状態に遷移する。
【０１１１】
ステップＳＴ１８では、ＳＩスクリーンＳｒへの投光を止めて、ファインダ窓１０に表示されるズームエリアを消灯する。
【０１１２】
このステップＳＴ１８の動作により、ファインダ窓１０では図１５(ｃ)の表示状態から図１５(ａ)の表示状態に移行する。
【０１１３】
以上のような撮像装置１Ａの動作により、ＳＩスクリーンＳｒに表されたターゲットマークＧｖに対して発光部７１からの投光を制御しデジタルズームのズームエリアを点灯させるため、簡易な構成により、光学ファインダにおいてデジタルズームに関するズーム範囲の情報を提供できる。
【０１１４】
なお、撮像装置１Ａにおけるデジタルズームに関しては、２倍のズーム倍率のみが設定できる構成を採用するのは必須でなく、複数のズーム倍率(多段階のズーム倍率)が設定できる構成を採用しても良い。例えば、上述した２倍の他に、１.４倍のズーム倍率を設定できる撮像装置において光学ファインダ使用時にデジタルズームを設定する際の動作を、以下で説明する。
【０１１５】
このような撮像装置においては、ズームボタン８３０の押下に応答して「１.４倍→２倍→等倍」というサイクリックなズーム倍率の設定を行えるものとし、発光部７１に設けられた複数のＬＥＤにより、図８に示す８つの投光エリアＥ１〜Ｅ８に加えて４つのＬ字状のマークＭａ１〜Ｍａ４の周辺エリアに投光できる構成を有するものとする。
【０１１６】
以上のような撮像装置においても、上述した図１４のフローチャートと同様の動作を行うこととなる。ただし、図１４のステップＳＴ１１〜ＳＴ１５の動作については、ズーム倍率が上述した「２倍」に設定される場合だけでなく「１.４倍」に設定される場合も実行される。この撮像装置の動作を、図１６を用いて説明する。
【０１１７】
まず、光学ファインダ使用時に、図１６(ａ)に示すファインダ窓１０での表示状態からズームボタン８３０がユーザにより押下された場合には、図１６(ｂ)の表示状態に遷移する。すなわち、「ｄｚ  １.４」の表示でズーム倍率が１.４倍に設定されている旨のインファインダ表示を行うとともに、そのズームエリアを図８に示す４つのＬ字状のマークＭａ１〜Ｍａ４を点灯させることで表現する。
【０１１８】
図１６(ｂ)の表示状態から、一定時間が経過すると図１６(ｃ)の表示状態、つまり通常のインファインダ表示に戻した状態に移行する。
【０１１９】
図１６(ｂ)の表示状態または図１６(ｃ)の表示状態から、ズームボタン８３０が押下された場合には、図１６(ｄ)の表示状態に遷移する。すなわち、「ｄｚ  ２.０」の表示でズーム倍率が２倍に設定されている旨のインファインダ表示を行うとともに、そのズームエリアを図８に示す６つのマークＭｂ１〜Ｍｂ６を点灯させることで表現する。
【０１２０】
図１６(ｄ)の表示状態から、一定時間が経過すると図１６(ｅ)の表示状態、つまり通常のインファインダ表示に戻した状態に移行する。
【０１２１】
図１６(ｄ)の表示状態または図１６(ｅ)の表示状態から、ズームボタン８３０が押下された場合には、ズーム倍率が等倍、つまりデジタルズームが解除された図１６(ａ)の表示状態に遷移する。
【０１２２】
以上のような動作を行う撮像装置においても、ＳＩスクリーンＳｒに表れたターゲットマークＧｖに対して発光部７１からの投光を制御しデジタルズームのズームエリアを点灯させるため、簡易な構成により、光学ファインダにおいてデジタルズームに関するズーム範囲の情報を提供できる。
【０１２３】
＜第２実施形態＞
本発明の第２実施形態に係る撮像装置１Ｂについては、図１〜３に示す第１実施形態の撮像装置１Ａと類似の構成を有しているが、ＳＩスクリーンの交換が可能である点、および全体制御部の構成が相違している。
【０１２４】
すなわち、撮像装置１Ｂでは、ターゲットマークの構成が異なる複数種類のＳＩスクリーンＳｒのうち１種類のＳＩスクリーンを着脱自在に保持し、例えば図１７に示す４種類のスクリーン１〜４の交換が可能となっている。これら４種類のスクリーン１〜４のうち、例えばスクリーン１は、図８に示すターゲットマークＧｖが表されたＳＩスクリーンに相当し、スクリーン３は、図１８に示すターゲットマークＧｗが表されたＳＩスクリーンに相当している。
【０１２５】
このターゲットマークＧｗは、上述したターゲットマークＧｖと同様の各マークＭａ１〜Ｍｂ４、Ｍｂ１〜Ｍｂ６を備えるとともに、水平方向に伸びた線状の４つのマークＭｅ１〜Ｍｅ４を更に備えている。これらのマークＭｅ１〜Ｍｅ４については、撮像素子５、７で生成されるアスペクト比４：３の画像信号をアスペクト比１６：９の画像信号とする際に切り出される画像範囲を表している。そして、第１実施形態と同様に各マークＭｂ１〜Ｍｂ６を囲む６つの投光エリアＥ１〜Ｅ６に投光できるとともに、各マークＭａ１〜Ｍｂ４を囲む４つの投光エリアＥ１１〜Ｅ１４と、各マークＭｅ１〜Ｍｅ４を囲む４つの投光エリアＥ２１〜Ｅ２４とに投光プリズム６８を介して発光部７１から投光できる構成となっている。具体的には、発光部７１は、各投光エリアＥ１〜Ｅ６、Ｅ１１〜Ｅ１４、Ｅ２１〜Ｅ２４それぞれに照射光Ｌａを投光するための各ＬＥＤを有している。
【０１２６】
このようなターゲットマークＧｗが表されたＳＩスクリーン３では、投光エリアＥ２１〜Ｅ２４への投光によるマークＭｅ１〜Ｍｅ４の点灯でズーム倍率１.４倍のズームエリアを表現することができ、また投光エリアＥ１１〜Ｅ１４への投光によるマークＭａ１〜Ｍａ４の点灯でズーム倍率２倍のズームエリアを表わすことができる。そして、上述した第１実施形態と同様にマークＭｂ１〜Ｍｂ６の点灯によりズーム倍率が４倍のズームエリアを表現することができるため、これら３種類の投光パターンをズーム倍率に応じて切り替えることで光学ファインダ使用時に３種類のズーム倍率を識別できる。すなわち、ターゲットマークＧｗでは、光学ファインダ使用時に選択(設定)可能なズーム倍率として図１７のスクリーン３のように等倍を含んだ４段階のズーム倍率が設定できる。
【０１２７】
以上のような撮像装置１Ｂでは、図１７に示す４種類のＳＩスクリーン１〜４それぞれを装着できるが、装着されたＳＩスクリーンに応じて、デジタルズームで選択可能なズーム倍率と、そのズーム倍率に応じたズームエリアを点灯させるための発光部７１の投光パターン１〜４とが設定されることとなる。すなわち、撮像装置１Ｂでは、装着されたＳＩスクリーンＳｒの種類に応じて、ファインダ窓１０においてデジタルズームに関するズーム領域の表現が可能なズーム倍率についての選択肢および、その投光パターンが設定される。なお、図１７に示すデータテーブルは、例えば全体制御部１０１ＢのＲＯＭに格納される。
【０１２８】
また、撮像装置１Ｂの全体制御部１０１Ｂでは、次で説明する撮像装置１Ｂの動作を行うためのデジタルズーム制御プログラムＺｂがフラッシュＲＯＭ１０３に格納されている。
【０１２９】
＜撮像装置１Ｂの動作＞
図１９は、撮像装置１Ｂの基本的な動作を示すフローチャートである。この動作については、上述したＳＩスクリーンＳｒの交換後の動作を示しており、デジタルズーム制御プログラムＺｂが全体制御部１０１Ｂで実行されることで実施される。また、図２０は、ＳＩスクリーンＳｒの交換後の動作を説明するための図である。
【０１３０】
まず、電源オフ状態の撮像装置１ＢにおいてユーザによりＳＩスクリーンＳｒが交換されると、メインスイッチ８１がオンにされたかを判定する(ステップＳＴ２１)。ここで、メインスイッチ８１がオンにされた場合には、ステップＳＴ２２に進み、オフのままの場合には、ステップＳＴ２１を繰り返す。
【０１３１】
ステップＳＴ２２では、装着されたＳＩスクリーンＳｒの種類を、液晶モニタ１２に表示されるメニュー画面で選択する。例えば、図２０(ａ)に示すメニュー画面において方向選択キー８４を用い、図１７に示す４種類のスクリーン１〜４から１つのスクリーン（図２０(ａ)では「スクリーン３」）を選択し、方向選択キー８４の中央部のプッシュボタン（決定ボタン）を押下して選択内容を確定する。これにより、光学ファインダ使用時に選択可能なズーム倍率として、メニュー画面で入力されたＳＩスクリーンＳｒの種類に応じたズーム倍率（図２０(ａ)では「１.０/１.４/２.０/４.０」）が設定される。
【０１３２】
ステップＳＴ２３では、ステップＳＴ２２におけるＳＩスクリーンＳｒの種類の選択に伴って設定された光学ファインダ使用時に選択可能なズーム倍率を、電子ファインダ使用時のズーム倍率に反映させるかを判定する。例えば、図２０(ｂ)に示す画面を液晶モニタ１２に表示させ、「Ｙｅｓ」・「Ｎｏ」のいずれが入力されたかによって、光学ファインダ使用時のズーム倍率設定を電子ファインダ使用時に反映させるか否かを判断する。
【０１３３】
このステップＳＴ２３において、光学ファインダ使用時のズーム倍率設定を電子ファインダ使用時に反映させる場合には、ステップＳＴ２４に進み、図２０(ｃ)のような確認画面を液晶モニタ１２に表示して光学ファインダ使用時のズーム倍率設定を電子ファインダ使用時に反映させる処理を行う。すなわち、撮像装置１Ｂに装着(保持)されるＳＩスクリーンＳｒに応じて設定された光学ファインダに係るズーム倍率の選択肢が、電子ファインダに係るズーム倍率の選択肢に反映される。これにより、デジタルズームに関するズーム倍率の選択肢について、光学ファインダ使用時と電子ファインダ使用とで整合を図ることができる。
【０１３４】
一方、ステップＳＴ２３において、光学ファインダ使用時のズーム倍率設定を電子ファインダ使用時に反映させない場合には、現在設定されている電子ファインダ使用時の設定を変更せず、例えば図２０(ｄ)のような確認画面を液晶モニタ１２に表示する。
【０１３５】
以上のようなＳＩスクリーンＳｒの交換後の動作を行う撮像装置１Ｂにおいて、光学ファインダ使用時にデジタルズームを設定する際には、図１４に示すフローチャートと同様の動作が行われる。
【０１３６】
以上で説明した撮像装置１Ｂでも、第１実施形態と同様の効果を奏することとなる。さらに、撮像装置１Ｂでは、装着されたＳＩスクリーンＳｒの種類を入力することにより光学ファインダ使用時に選択可能なデジタルズームのズーム倍率が設定されるため、ズーム倍率についての選択肢を適切に設定できることとなる。
【０１３７】
なお、撮像装置１ＢにおけるＳＩスクリーンＳｒの交換後には、図２０(ａ)に示すメニュー画面を液晶モニタ１２に表示してユーザに装着されたＳＩスクリーンＳｒの種類を入力させるのは必須でなく、装着されたＳＩスクリーンＳｒの種類を撮像装置で自動的に検出するようにしても良い。これについて、図２１を参照して説明する。
【０１３８】
図２１は、装着されたＳＩスクリーンＳｒの種類の検出処理を示すフローチャートである。
【０１３９】
まず、電源オフ状態の撮像装置においてユーザによりＳＩスクリーンＳｒが交換されると、メインスイッチ８１がオンにされたかを判定する(ステップＳＴ３１)。ここで、メインスイッチ８１がオンにされた場合には、ステップＳＴ３２に進み、オフのままの場合には、ステップＳＴ３１を繰り返す。
【０１４０】
ステップＳＴ３２では、装着されたＳＩスクリーンＳｒの種類を撮像素子７で検出する。具体的には、電子ファインダ用の撮像素子７でＳＩスクリーンＳｒに表れたターゲットマークを撮像し、そのターゲットマークに対しての画像解析(画像処理)により、例えば図１７に示す４種類のスクリーン１〜４から撮像装置に装着されたＳＩスクリーンＳｒの種類を特定する。この場合には、各スクリーン１〜４におけるターゲットマークの構成を予め全体制御部１０１ＢのＲＯＭに記憶しておき、撮像素子７で得られた撮像画像中のターゲットマークと対比することでスクリーン１〜４の識別が行われる。なお、撮像画像が全体的に暗くターゲットマークの構成を判別するのが困難な場合には、画像処理により撮像画像の輝度を上げたり、発光部７１の全ＬＥＤを点灯させターゲットマークを照明するのが好ましい。
【０１４１】
ステップＳＴ３３では、ステップＳＴ３２で検出されたＳＩスクリーンＳｒの種類に基づき図１７に示すデータテーブルを参照して、光学ファインダ使用時に選択可能なズーム倍率を設定する。
【０１４２】
以上のようなＳＩスクリーンＳｒの種類の検出処理を行うことにより、ユーザ負担の軽減が図れることとなる。
【０１４３】
＜第３実施形態＞
本発明の第３実施形態に係る撮像装置１Ｃについては、図１〜３に示す第１実施形態の撮像装置１Ａと類似の構成を有しているが、全体制御部の構成が相違している。
【０１４４】
すなわち、撮像装置１Ｃの全体制御部１０１Ｃは、次で説明する撮像装置１Ｃの動作を行うためのデジタルズーム制御プログラムＺｃがフラッシュＲＯＭ１０３に格納されている。
【０１４５】
＜撮像装置１Ｃの動作＞
第３実施形態の撮像装置１Ｃでは、第１実施形態の撮像装置１Ａと異なり、光学ファインダ使用時にデジタルズームを設定すると、警告(コーション)を発して電子ファインダへの切替えを促す動作が行われる。この動作について、以下で詳しく説明する。
【０１４６】
図２２は、撮像装置１Ｃの基本的な動作を示すフローチャートである。この動作については、特に光学ファインダ使用時にデジタルズームを設定する際の動作を示しており、デジタルズーム制御プログラムＺｃが全体制御部１０１Ｃで実行されることで実施される。また、図２３は、光学ファインダ使用時にデジタルズームを設定する際の動作を説明するための図である。
【０１４７】
ステップＳＴ４１では、デジタルズームに関するズームボタン８３０がユーザにより押下されたかを判定する。ここで、ズームボタン８３０が押下された場合には、ステップＳＴ４２に進み、押下されていない場合には、ステップＳＴ４１を繰り返す。
【０１４８】
ステップＳＴ４２では、光学ファインダが使用されているかを判定する。具体的には、切替スイッチ８５において接点が「光学」位置に設定されているか否かを判断する。ここで、光学ファインダが使用されている場合には、ステップＳＴ４３に進み、使用されていない場合には、ステップＳＴ４６に進む。
【０１４９】
ステップＳＴ４３では、投光プリズム６８を介して発光部７１からの照明光ＬａをＳＩスクリーンＳｒに投光することで、ファインダ窓１０において２倍のズーム倍率に対応したズームエリアを点灯させる。具体的には、ＳＩスクリーンＳｒにおける６つの投光エリアＥ１〜Ｅ６に投光することにより、図２３(ｂ)に示すターゲットマーク表示Ｔ２０のようにターゲットマークＧｖにおける６つのマークＭｂ１〜Ｍｂ６(図８)を同時に発光させる。
【０１５０】
また、ステップＳＴ４３においては、インファインダ１３で警告表示を行って、電子ファインダ、つまり液晶モニタ１２でのライブビュー表示に切り替えることをユーザに促す。具体的には、図２３(ｂ)に示すインファインダ表示Ｆ２０のように「ＣＨＧ−ＬＶ」の表示でライブビュー表示への切り替えをユーザに認識させる。なお、この表示については、インファインダ１３の表示領域Ｈａ(図１１(ａ))における７セグメントＳｇを用いて図１１(ｂ)のようなアルファベット表現が行われる。また、警告表示として、図２４に示すインファインダ表示Ｆ２１のように「ＮＯＴＵＳＥ」の表示により光学ファインダが使用不可であることをユーザに認識させても良い。
【０１５１】
このようなステップＳＴ４３の動作により、ファインダ窓１０では図２３(ａ)の表示状態から図２３(ｂ)の表示状態に遷移することとなる。
【０１５２】
ステップＳＴ４４では、光学ファインダから電子ファインダに切替えられたかを判定する。すなわち、ステップＳＴ４３の警告表示を視認したユーザが切替スイッチ８５を操作して、その接点が「液晶」位置に設定されたかを判断する。ここで、電子ファインダに切替えられた場合には、ステップＳＴ４５に進み、切替えられていない場合には、ステップＳＴ４４を繰り返す。
【０１５３】
ステップＳＴ４５では、ＳＩスクリーンＳｒへの投光を止めて、ファインダ窓１０に表示されるズームエリアを消灯する。また、光学ファインダが使用されないため、インファインダ１３の表示をオフにする。
【０１５４】
ステップＳＴ４６では、電子ファインダにおいてユーザが設定したズーム倍率によるライブビュー表示を行う。すなわち、デジタルズームで切り出される範囲内の画像部分が液晶モニタ１２で拡大表示される。
【０１５５】
以上のような撮像装置１Ｃの動作により、第１実施形態と同様に、簡易な構成により、光学ファインダにおいてデジタルズームに関するズーム範囲の情報を提供できる。
【０１５６】
なお、撮像装置１Ｃにおいて光学ファインダ使用時にデジタルズームが設定された際に、警告を行ってユーザに電子ファインダの使用を促すのは必須でなく、警告を発して自動的に電子ファインダに切り替えるようにしても良い。これについて、図２５および図２６を参照して説明する。
【０１５７】
図２５は、光学ファインダ使用時にデジタルズームが設定された際の動作を示すフローチャートである。また、図２６は、光学ファインダ使用時にデジタルズームが設定された際の動作を説明するための図である。以下で説明する動作については、例えば切替スイッチ８５の接点が「自動」位置に設定され、接眼検知部１５での接眼検知によって光学ファインダが選択されている際の動作となる。
【０１５８】
ステップＳＴ５１〜ＳＴ５３では、図２２に示すステップＳＴ４１〜ＳＴ４３と同様の動作を行う。
【０１５９】
このステップＳＴ５１〜ＳＴ５３の動作により、ファインダ窓１０では図２６(ａ)の表示状態から図２３(ｂ)の表示状態に遷移することとなる。
【０１６０】
ステップＳＴ５４では、ズームボタン８３０が押下されてから一定の時間(例えば５秒)が経過したかを判定する。ここで、一定の時間が経過した場合には、ステップＳＴ５５に進み、経過していない場合には、ステップＳＴ５４を繰り返す。
【０１６１】
ステップＳＴ５５では、電子ファインダに切替わるまでの時間を表示する。例えば図２６(ｃ)に示すインファインダ表示Ｆ２２のように、電子ファインダへの切替えまでの時間「５」秒が表示される。なお、時間経過に伴い、図２６(ｃ)に示すインファインダ表示Ｆ２２の「５」が「４」、「３」・・・とカウントダウンすることとなる。
【０１６２】
ステップＳＴ５６では、一定の時間、つまり上記のカウントダウン時間が経過したかを判定する。ここで、一定の時間が経過した場合には、ステップＳＴ５７に進み、経過していない場合には、ステップＳＴ５５に戻る。
【０１６３】
ステップＳＴ５７では、光学ファインダから電子ファインダに切り替える。これにより、ファインダ窓１０では図２６(ｄ)のように非表示状態となる。
【０１６４】
ステップＳＴ５８では、電子ファインダにおいてユーザが設定したズーム倍率によるライブビュー表示を行う。すなわち、デジタルズームで切り出される範囲内の画像部分が液晶モニタ１２で拡大表示される。
【０１６５】
なお、上記のステップＳＴ５５では、電子ファインダに切替わるまでの時間を表示する図２６(ｃ)のインファインダ表示Ｆ２２の代わりに、図２６(ｂ)に示すインファインダ表示Ｆ２０を点滅させて電子ファインダへの切替えが迫っていることをユーザに伝えても良い。
【０１６６】
以上のように電子ファインダへの切替えが自動的に行われることにより、ユーザ負担が軽減されることとなる。
【０１６７】
＜変形例＞
・上記の各実施形態におけるズームエリアについては、ターゲットマークを利用して表現するのは必須でなく、図２７(ａ)に示す撮影補助線や、図２８(ａ)に示すアスペクト比などの表示線を利用して表現するようにしても良い。このような場合には、図２７(ｂ)および図２８(ｂ)に示す太線部分を発光させてズームエリアが表現されることとなる。
【図面の簡単な説明】
【０１６８】
【図１】本発明の第１実施形態に係る撮像装置１Ａの外観構成を示す図である。
【図２】撮像装置１Ａの外観構成を示す図である。
【図３】撮像装置１Ａの機能構成を示すブロック図である。
【図４】光学ファインダによる構図決め動作を示す断面図である。
【図５】電子ファインダによる構図決め動作を示す断面図である。
【図６】ファインダ光学系６０の要部構成を示す縦断面図である。
【図７】ペンタミラー６５の正面図である。
【図８】ファインダ窓１０に映り込むターゲットマークＧｖを説明するための図である。
【図９】ＳＩスクリーンＳｒの下面Ｓｒｄに形成されたマイクロプリズムＭＰを説明するための断面図である。
【図１０】インファインダ１３による情報表示の一例を示す図である。
【図１１】インファインダ１３の構成を説明するための図である。
【図１２】７セグメントＳｇを説明するための図である。
【図１３】デジタルズーム時での撮像装置１Ａの動作を説明するためのフローチャートである。
【図１４】撮像装置１Ａの基本的な動作を示すフローチャートである。
【図１５】光学ファインダ使用時にデジタルズームを設定する際の動作を説明するための図である。
【図１６】光学ファインダ使用時にデジタルズームを設定する際の動作を説明するための図である。
【図１７】本発明の第２実施形態に係る撮像装置１Ｂで交換可能な４種類のスクリーン１〜４を説明するための図である。
【図１８】ターゲットマークＧｗを説明するための図である。
【図１９】撮像装置１Ｂの基本的な動作を示すフローチャートである。
【図２０】ＳＩスクリーンＳｒの交換後の動作を説明するための図である。
【図２１】装着されたＳＩスクリーンＳｒの種類の検出処理を示すフローチャートである。
【図２２】本発明の第３実施形態に係る撮像装置１Ｃの基本的な動作を示すフローチャートである。
【図２３】光学ファインダ使用時にデジタルズームを設定する際の動作を説明するための図である。
【図２４】警告表示を説明するための図である。
【図２５】光学ファインダ使用時にデジタルズームが設定された際の動作を示すフローチャートである。
【図２６】光学ファインダ使用時にデジタルズームが設定された際の動作を説明するための図である。
【図２７】本発明の変形例に係るズームエリアを説明するための図である。
【図２８】本発明の変形例に係る他のズームエリアを説明するための図である。
【符号の説明】
【０１６９】
１Ａ〜１Ｃ  撮像装置
２  カメラ本体部
３  交換レンズ
５、７  撮像素子
６  ミラー機構
１０  ファインダ窓
１２  液晶モニタ
１３  インファインダ
１５  接眼検知部
６０  ファインダ光学系
６３  焦点板
６５  ペンタミラー
６５ｅ  可動ミラー
６８  投光プリズム
７１  発光部
８５  切替スイッチ
１０１Ａ〜１０１Ｃ  全体制御部
１０３  フラッシュＲＯＭ
８３０  ズームボタン
Ｅ１〜Ｅ９、Ｅ１１〜Ｅ１４、Ｅ２１〜Ｅ２４  投光エリア
Ｇｖ、Ｇｗ  ターゲットマーク
Ｓｒ  ＳＩスクリーン
Ｚａ〜Ｚｃ  デジタルズーム制御プログラム
【図１】
2010021839.tif 000003
【図２】
2010021839.tif 000004
【図３】
2010021839.tif 000005
【図４】
2010021839.tif 000006
【図５】
2010021839.tif 000007
【図６】
2010021839.tif 000008
【図７】
2010021839.tif 000009
【図８】
2010021839.tif 000010
【図９】
2010021839.tif 000011
【図１１】
2010021839.tif 000012
【図１２】
2010021839.tif 000013
【図１３】
2010021839.tif 000014
【図１４】
2010021839.tif 000015
【図１５】
2010021839.tif 000016
【図１６】
2010021839.tif 000017
【図１７】
2010021839.tif 000018
【図１８】
2010021839.tif 000019
【図１９】
2010021839.tif 000020
【図２０】
2010021839.tif 000021
【図２１】
2010021839.tif 000022
【図２２】
2010021839.tif 000023
【図２３】
2010021839.tif 000024
【図２４】
2010021839.tif 000025
【図２５】
2010021839.tif 000026
【図２６】
2010021839.tif 000027
【図２７】
2010021839.tif 000028
【図２８】
2010021839.tif 000029
【図１０】
2010021839.tif 000030